(57)【要約】【課題】  保護パネル部材と枠体に一体感がある表示装置を提供する。【解決手段】  表示パネル１０は、画像を表示する。保護パネル部材２０は、画像を透視するためのものである。枠体３０は、保護パネル部材２０の外周に設けられる。枠体３０は、透光性材料からなる基材３１を有する。表示パネル１０は、透光性接着剤１５にて保護パネル部材２０に接着されている。枠体３０は、基材３１の内側に形成された遮光層３２を有する。枠体３０は、平面からなる外周側面と、外周側面から保護パネル部材２０に連なる湾曲面と、を有する。【選択図】  図２
2016080938.tif 000002
【特許請求の範囲】
【請求項１】
表示器と、前記表示器の外周に設けられた枠体と、を備えた表示装置であって、前記枠体は透光性材料からなる基材を有することを特徴とする表示装置。
【請求項２】
画像を表示する表示パネルと、前記画像を透視するための保護パネル部材と、前記保護パネル部材の外周に設けられた枠体と、を備えた表示装置であって、前記枠体は透光性材料からなる基材を有することを特徴とする表示装置。
【請求項３】
前記表示パネルは透光性接着剤にて前記保護パネル部材に接着されていることを特徴とする請求項２に記載の表示装置。
【請求項４】
前記枠体は、前記基材の内側に形成された遮光層を有することを特徴とする請求項１または請求項２に記載の表示装置。
【請求項５】
前記枠体は、平面からなる外周側面と、前記外周側面から前記保護パネル部材に連なる湾曲面と、を有することを特徴とする請求項１または請求項２に記載の表示装置。
【請求項６】
前記枠体は、面取り部を有することを特徴とする請求項１または請求項２に記載の表示装置。
【請求項７】
前記枠体を光輝させる発光素子を更に備えたことを特徴とする請求項１または請求項２に記載の表示装置。
【発明の詳細な説明】
【技術分野】
【０００１】
本発明は、枠体を備えた表示装置に関するものである。
【背景技術】
【０００２】
従来より、表示器の額縁となる枠体を備えた表示装置が種々提案されており、例えば特許文献１に開示されている。斯かる表示装置は、表示器の外周に枠体を設けたものであり、この枠体には表示器の画面を露出させる開口部が形成されている。
【先行技術文献】
【特許文献】
【０００３】
【特許文献１】特開２０１３−８３７７４号公報
【発明の概要】
【発明が解決しようとする課題】
【０００４】
しかしながら、表示器と枠体とは構造的に別個の部材であるために、表示器と枠体との一体感が乏しいという問題を有しており、改良の余地があった。
本発明は、この問題に鑑みなされたものであり、枠体に一体感がある表示装置を提供するものである。
【課題を解決するための手段】
【０００５】
本発明は、表示器１００，２００と、前記表示器１００，２００の外周に設けられた枠体３０，１３０と、を備えた表示装置であって、前記枠体３０，１３０は透光性材料からなる基材３１，１３１を有するものである。
【０００６】
また、本発明は、画像を表示する表示パネル１０，１１０と、前記画像を透視するための保護パネル部材２０，１２０と、前記保護パネル部材２０，１２０の外周に設けられた枠体３０，１３０と、を備えた表示装置であって、前記枠体３０，１３０は透光性材料からなる基材３１，１３１を有するものである。
【０００７】
また、本発明は、前記表示パネル１０，１１０は透光性接着剤１５，１１５にて前記保護パネル部材２０，１２０に接着されているものである。
【０００８】
また、本発明は、前記枠体３０，１３０は、前記基材３１，１３１の内側に形成された遮光層３２，１３２を有するものである。
【０００９】
また、本発明は、前記枠体３０，１３０は、平面からなる外周側面と、前記外周側面から前記保護パネル部材２０，１２０に連なる湾曲面と、を有するものである。
【００１０】
また、本発明は、前記枠体１３０は、面取り部を有するものである。
【００１１】
また、本発明は、前記枠体１３０を光輝させる発光素子１４２を更に備えたものである。
【発明の効果】
【００１２】
枠体の基材を透光性材料としたことにより、枠体の一体感が向上する。
【図面の簡単な説明】
【００１３】
【図１】本発明の第一実施形態を示す正面図。
【図２】同上実施形態を示す断面図。
【図３】本発明の第二実施形態を示す断面図。
【図４】本発明の第三実施形態を示す断面図。
【発明を実施するための形態】
【００１４】
以下、添付図面に基づいて、本発明の一実施形態を説明する。図１及び図２は、第一実施形態を示すものである。車両用表示装置は、液晶表示パネル（表示パネル）１０，カバーパネル（保護パネル部材）２０，ベゼルケース（枠体）３０，回路基板４０，裏カバー５０，中ケース６０を備えている。
【００１５】
液晶表示パネル１０は、ＴＦＴ型カラー液晶モジュールからなるものであり、車両速度等の車両情報を表示する。液晶表示パネル１０は、マルチドットやセグメントタイプのものであっても良く、単色表示やフルカラー表示は問わない。また、表示パネルはＥＬモジュールであっても良い。液晶表示パネル１０は、透光性接着剤１５にてオプティカルボンディングされており、カバーパネル２０の後面に密着されている。
【００１６】
透光性接着剤１５は、例えば、無色透明な接着剤であり、厚さは５０μｍ〜５００μｍである。透光性接着剤１５は、窓部２１ｂを覆うように形成される。透光性接着剤１５は、カバーパネル２０と同等の屈折率を有しており、例えば、１．４〜１．５５の屈折率を有する。透光性接着剤１５は、初期的に液状であり、製造工程の中で硬化される。液状状態では、透光性接着剤１５の粘度は、２５００〜５０００ｍＰａ・ｓ程度である。
【００１７】
透光性接着剤１５は、液晶表示パネル１０の接着面やカバーパネル２０の線膨張係数の違いによる伸縮を吸収し、且つ、接着面に剥がれが発生しない程度の弾性、接着力を持つゲル状に硬化する。透光性接着剤１５は、生産性の高いＵＶ硬化型であることが好ましいが、ハイブリット硬化型であっても良い。透光性接着剤１５は、シリコーン接着剤であることが好ましいが、ウレタン系、アクリル系であっても良い。
【００１８】
カバーパネル２０は平板形状の無機ガラスからなるものであり、正面視で矩形になっている。カバーパネル２０は、液晶表示パネル１０の画面を保護すると共に、液晶表示パネル１０の画像を透視するためのものである。カバーパネル２０の前面には、反射防止，防汚，停電防止，赤外線カット等の機能を有するコーティングやフィルムを施しても良い。カバーパネル２０の側端面は、ベゼルケース３０に覆われて露出していない。カバーパネル２０の後面には黒色印刷層からなる遮光部２１が形成されており、この遮光部２１は、液晶表示パネル１０の画像を視認するための矩形の窓部２１ｂと、警告表示部となる円形の窓部２１ｃとを有している。表示器１００は、液晶表示パネル１０とカバーパネル２０とからなるものである。
【００１９】
ベゼルケース３０は、透光性樹脂からなる枠状の基材３１と、この基材３１の内側に形成された遮光層３２とを有している。ベゼルケース３０の遮光層３２は、黒色塗装層からなるものである。ベゼルケース３０の基材３１にはリブ部３１ｂが形成されており、このリブ部３１ｂが、カバーパネル２０の側端面を覆っている。ベゼルケース３０内の空間には、液晶表示パネル１０，回路基板５０及び中ケース６０が収容されている。ベゼルケース３０の基材３１は、基部３１ａ及びリブ部３１ｂからなるものである。リブ部３１ｂの外周側面は、カバーパネル２０に連なる湾曲面になっている。基部３１ａの外周側面は、平面及び湾曲面になっている。
【００２０】
回路基板４０は、ガラスエポキシ樹脂からなる基材に銅箔からなる配線パターンを形成したものであり、発光素子４１が搭載されている。発光素子４１は、遮光部２１の窓部２１ｃに対応する個所に配置されている。裏カバー５０は、ＡＥＳやＰＰ等の樹脂からなるものである。裏カバー５０は、ビス５１によってベゼルケース３０の基部３１ａに固定されている。中ケース６０は、不透明な樹脂（ＰＰ等）からなるものであり、この中ケース６０の後面側に回路基板４０が配置されている。中ケース６０は、発光素子４１に対応する個所に形成された貫通孔６１を有している。
【００２１】
図３は、第二実施形態を示すものである。車両用表示装置は、液晶表示パネル（表示パネル）１１０，カバーパネル（保護パネル部材）１２０，ベゼルケース（枠体）１３０，回路基板１４０，筺体１５０，中ケース１６０を備えている。
【００２２】
液晶表示パネル１１０は、ＴＦＴ型カラー液晶モジュールからなるものであり、車両速度等の車両情報を表示する。液晶表示パネル１１０は、透光性接着剤１１５にてオプティカルボンディングされており、カバーパネル１２０の後面に密着されている。
【００２３】
カバーパネル１２０は平板形状の無機ガラスからなるものであり、正面視で矩形になっている。カバーパネル１２０の前面には、反射防止，防汚，停電防止，赤外線カット等の機能を有するコーティングやフィルムを施しても良い。カバーパネル１２０の側端面は、ベゼルケース１３０に覆われて露出していない。カバーパネル１２０の後面には黒色印刷層からなる遮光部１２１が形成されており、この遮光部１２１は、液晶表示パネル１１０の画像を視認するための矩形の窓部１２１ｂを有している。表示器２００は、液晶表示パネル１１０とカバーパネル１２０とからなるものである。
【００２４】
ベゼルケース１３０は、透光性樹脂からなる枠状の基材１３１と、この基材１３１の内側に形成された遮光層１３２とを有している。ベゼルケース１３０の基材１３１にはリブ部１３１ｂが形成されており、このリブ部１３１ｂが、カバーパネル１２０の側端面を覆っている。ベゼルケース１３０の基材１３１は、基部１３１ａ，リブ部１３１ｂ，受光部１３１ｃからなるものである。リブ部１３１ｂの外周側面は、カバーパネル１２０に連なる湾曲面になっている。基部１３１ａの外周側面は、平面及び湾曲面になっている。
【００２５】
回路基板１４０は、ガラスエポキシ樹脂からなる基材に銅箔からなる配線パターンを形成したものであり、発光素子１４２が搭載されている。発光素子１４２は、ベゼルケース１０３の受光部１３１ｃに対応する個所に配置されている。回路基板１４０に搭載された発光素子１４２が発した光は、ベゼルケース１３０の受光部１３１ｃで受光され、ベゼルケース１３０を光輝させる。筺体１５０は、ＡＥＳやＰＰ等の樹脂からなるものであり、回路基板１４０等を収容する。中ケース１６０は、不透明な樹脂（ＰＰ等）からなるものであり、この中ケース１６０の後側に回路基板１４０が配置されている。
【００２６】
第一，第二実施形態の如く、保護パネル部材２０，１２０の外周に設けられるベゼルケース３０，１３０の基材３１，１３１を透光性材料としたことにより、保護パネル部材２０，１２０とベゼルケース３０，１３０の一体感が向上する。
【００２７】
なお、本発明は、第一，第二実施形態に限定されるものではなく、種々の変形が可能であり、例えば、図４に示す第三実施形態のように、ベゼルケース１３０にＣ面（面取り部）を形成しても良い。
【符号の説明】
【００２８】
１０  液晶表示パネル（表示パネル）
１５  透光性接着剤
２０  カバーパネル（保護パネル部材）
３０  ベゼルケース（枠体）
３１  基材
３２  遮光層
４０  回路基板
６０  中ケース
１００  表示器
１１０  液晶表示パネル（表示パネル）
１１５  透光性接着剤
１２０  カバーパネル（保護パネル部材）
１３０  ベゼルケース（枠体）
１３１  基材
１３２  遮光層
１４０  回路基板
１６０  中ケース
２００  表示器
【図１】
2016080938.tif 000003
【図２】
2016080938.tif 000004
【図３】
2016080938.tif 000005
【図４】
2016080938.tif 000006